(57)【要約】【課題】蛍光増白剤を含有するメディアに印刷した印刷物を測色する時、所望の観察環境下において、一般的な分光測色方式の測色機を用いて、見えと一致した測色値を得ること。【解決手段】所望の環境下において見えが一致する、第１記録材に印刷された第１色票と第２記録材に印刷された第２色票の２つの色票を取得する。そして、所望の環境下で測色値を得る分光測色方式の測定部と、上記第１色票の測色値と上記第２色票の測色値とを用いて、第１記録材に印刷された測定対象の色票の測色値を補正し、実効測色値を生成する。【選択図】  図２
2010054382.tif 000002
【特許請求の範囲】
【請求項１】
蛍光増白剤を含有する記録材に記録された所定の観察光源下における色を測定する測色方法であって、
蛍光増白剤を含有する記録材上に形成された複数の色票と、蛍光増白剤を含有しない記録材上に形成された複数の色票とを前記所定の観察光源下で比較した場合に、見えが一致するものとして特定された第１色票及び第２色票を取得する取得ステップと、
前記第１色票及び前記第２色票について、分光測色方式を利用した測色処理を行い、第１測色値及び第２測色値を得る測定ステップと、
分光測色方式の測色機から出力される測色値を、前記第１測色値と前記第２測色値との関係を用いて補正する測色値補正ステップと、
を含むことを特徴とする測色方法。
【請求項２】
前記取得ステップは、
蛍光増白剤を含有する記録材上に、第１の変化量で変化する複数の色票を形成する第１形成ステップと、
蛍光増白剤を含有しない記録材上に、第２の変化量で変化する複数の色票を形成する第２形成ステップと、
蛍光増白剤を含有する記録材上の前記複数の色票から選択された第３色票の情報を取得する第１取得ステップと、
蛍光増白剤を含有しない記録材上の前記複数の色票から選択された第４色票の情報を取得する第２取得ステップと、
前記第１取得ステップで取得した第３色票を中心として、前記第１の変化量よりも小さい変化量で変化する複数の色票を、蛍光増白剤を含有する記録材上に形成する第３形成ステップと、
前記第２取得ステップで取得した第４色票を中心として、前記第２の変化量よりも小さい変化量で変化する複数の色票を、蛍光増白剤を含有しない記録材上に形成する第４形成ステップと、
第３形成ステップで形成した複数の色票から選択された前記第１色票を取得する第３取得ステップと、
第４形成ステップで形成した複数の色票から選択された前記第２色票を取得する第４取得ステップと、
を含むことを特徴とする請求項１に記載の測色方法。
【請求項３】
前記蛍光増白剤を含有する記録材とは、所定量以上の蛍光増白剤を含有する記録材であり、前記蛍光増白剤を含有しない記録材とは、所定量未満の蛍光増白剤を含有する記録材であることを特徴とする請求項１に記載の測色方法。
【請求項４】
蛍光増白剤を含有する記録材に記録された所定の観察光源下における色を測定する測色装置であって、
蛍光増白剤を含有する記録材上に形成された複数の色票と、蛍光増白剤を含有しない記録材上に形成された複数の色票とを前記所定の観察光源下で比較した場合に、見えが一致するものとして特定された第１色票及び第２色票を取得する取得手段と、
前記第１色票及び前記第２色票について、分光測色方式を利用した測色処理を行い、第１測色値及び第２測色値を得る測定手段と、
分光測色方式の測色機から出力される測色値を、前記第１測色値と前記第２測色値との関係を用いて補正する測色値補正手段と、
を含むことを特徴とする測色装置。
【請求項５】
請求項１に記載の測色方法に含まれる各ステップを、コンピュータに実行させるプログラムを格納したコンピュータで読取可能な記録媒体。
【発明の詳細な説明】
【技術分野】
【０００１】
本発明は、蛍光増白剤を含有する記録材を所定の観察光源下で測色する技術に関する。
【背景技術】
【０００２】
従来、印刷装置において望みの色を出力するために色変換テーブルが用いられている。色変換テーブルを作成するためには、複数個の色票を出力し、全ての色票を測色することで、所望の色を表現できるように様々な補正を加える。
【０００３】
一般的な色票の測色方法は以下の通りである。まず、色票に測定光を照射して得られた分光強度分布を、完全拡散反射板に同一の測定光を照射して得られた分光強度分布で割算する。これにより、光源に依存しない分光反射率を導くことができる。この分光反射率と観察光源のスペクトルと等色関数とを用いて、ある観察光源下におけるの色票の色の三刺激値を測色値として求めることができる。
【０００４】
【特許文献１】特開２００４−６４１１２号公報
【発明の開示】
【発明が解決しようとする課題】
【０００５】
しかし、印刷に用いられる記録材には蛍光増白剤を含むものが多くある。これは、紫外光を吸収して可視域で蛍光を発することにより、視覚的に白色度を高める。蛍光増白剤を含む記録材は、光源の影響を受けやすい為、測色する時に用いた測定光と実際の観察光源が異なる場合、蛍光増白剤による発光量も異なり、見かけの分光反射率にズレが生じ、測色機による測色値と、実際の見えが異なってしまう。
【０００６】
この問題を解決する方法として、実際の観察光源下において分光放射輝度計を用いて色票を測色する方法（特許文献１）が提案されているが、分光放射輝度計は高価であり、測定するのに非常に大きな労力を必要とする。
【０００７】
本発明は上記従来技術の課題を解決するためになされたものであり、その目的は、蛍光増白剤を含有する記録材に印刷した印刷物の所定の観察光源下における色を測色する場合において、一般的な分光測色方式の測色機を用いて、見えと一致した測色値を得ることにある。
【課題を解決するための手段】
【０００８】
上記目的を達成するため、本発明に係る方法は、
蛍光増白剤を含有する記録材に記録された所定の観察光源下における色を測定する測色方法であって、
蛍光増白剤を含有する記録材上に形成された複数の色票と、蛍光増白剤を含有しない記録材上に形成された複数の色票とを前記所定の観察光源下で比較した場合に、見えが一致するものとして特定された第１色票及び第２色票を取得する取得ステップと、
前記第１色票及び前記第２色票について、分光測色方式を利用した測色処理を行い、第１測色値及び第２測色値を得る測定ステップと、
分光測色方式の測色機から出力される測色値を、前記第１測色値と前記第２測色値との関係を用いて補正する測色値補正ステップと、
を含むことを特徴とする。
【０００９】
上記目的を達成するため、本発明に係るシステムは、
蛍光増白剤を含有する記録材に記録された所定の観察光源下における色を測定する測色システムであって、
蛍光増白剤を含有する記録材上に形成された複数の色票と、蛍光増白剤を含有しない記録材上に形成された複数の色票とを前記所定の観察光源下で比較した場合に、見えが一致するものとして特定された第１色票及び第２色票を取得する取得手段と、
前記第１色票及び前記第２色票について、分光測色方式を利用した測色処理を行い、第１測色値及び第２測色値を得る測定手段と、
分光測色方式の測色機から出力される測色値を、前記第１測色値と前記第２測色値との関係を用いて補正する測色値補正手段と、
を含むことを特徴とする。
【００１０】
上記目的を達成するため、本発明に係る記憶媒体は、
上記測色方法に含まれる各ステップを、コンピュータに実行させるプログラムを格納したコンピュータ読取可能な記録媒体。
【発明の効果】
【００１１】
本発明によれば、蛍光増白剤を含有する記録材に印刷した印刷物の所定の観察光源下における色を測色する場合において、一般的な分光測色方式の測色機を用いて、見えと一致した測色値を得ることが可能となる。
【発明を実施するための最良の形態】
【００１２】
以下に、図面を参照して、この発明の好適な実施の形態を例示的に詳しく説明する。ただし、この実施の形態に記載されている構成要素はあくまで例示であり、この発明の範囲をそれらのみに限定する趣旨のものではない。なおここで、色票チャートという用語は、縦横に並んだ色票の集合を示す。
【００１３】
図１は、本発明の一実施形態としての測色装置の概略構成を示した図である。測色装置は、見え一致色票取得部１１、測定部１２、格納部１３、測色値生成部１４に分けられる。
【００１４】
本実施形態に係る測色装置は、プロファイル作成用チャートを出力し、測色して、カラーマッチング用のプロファイルを作成するためのプロファイル作成ソフトを高機能化して実現されるものである。すなわち、プロファイル作成ソフトに、見え一致色票取得部の機能を追加することで、蛍光増白剤を含有する記録材を用いる場合においても見えに一致するプロファイルを作成する。
【００１５】
本実施形態で出力する色票チャートは、実際の測定対象色票チャート（例えばプロファイル作成用のit8チャートなど、図３）と、見えが一致する色票を探すために使用する第１チャート（図５）と、第２チャート（図６）との３種類である。測定対象色票チャートと第１チャートとは、同じ第１記録材に出力されるが、種類は別の色票チャートである。また、測定対象色票チャートは第２記録材では出力しない。
【００１６】
本測色装置で行われる測色処理の前提処理について、図７を用いて説明する。図４は前提処理の流れを示すフローチャートである。
【００１７】
２種類の記録材に対して、図４と図５に示すような複数の色票を配列した色票チャートを形成する。一方の記録材は、蛍光増白剤を含む第１記録材であり、他方は、蛍光増白剤を含まない第２記録材である。第２記録材は、微量の蛍光増白剤を含むが蛍光増白剤を含まないと見なすことのできる記録材を含む。つまり、蛍光増白剤を含有する第１記録材は、所定量以上の蛍光増白剤を含有する記録材であり、蛍光増白剤を含有しない第２記録材は、所定量未満の蛍光増白剤を含有する記録材である。
【００１８】
ステップＳ４０１において、Ｃ値、Ｍ値、Ｙ値を０に固定しＫ値を０からΔＫずつ変化させた複数個の色票を、図５に示すように第１記録材に記録する。第１記録材上に形成された複数個の色票を含む色票チャートを第１チャートと称する。
【００１９】
次にステップＳ４０２において、Ｋ値を０に固定し、Ｃ値、Ｍ値、Ｙ値をΔＣ、ΔＭ、ΔＹずつ変化させたガマット表面（１次色、２次色）の複数個の色票を、図６に示すように第２記録材に記録する。第２記録材上に形成された色票チャートを第２チャートと称する。
【００２０】
ここで、見えが一致する色票を見つける（収束させる）ことができれば、ステップＳ４０１、Ｓ４０２において、第１、第２記録材に対して同じ色票を記録して比較してもよい。ただし、どちらも同じ色票（例えばどちらもＫ値を０に固定し、Ｃ値、Ｍ値、Ｙ値をΔＣ、ΔＭ、ΔＹずつ変化させた複数個の色票）を出力した場合、どちらも３次元となり出力色票数が多くなる。そのため、見えが近い色票を見つけるのが困難になってしまい、見えが一致する点が複数個存在する（図７の７１ガマットと７３ガマットの重なる部分）ため収束させるのが難しくなる。そこで、ここでは、第１チャートは１次元で変化させ、第２チャートは２次元で変化させる。これにより、出力色票数を減らすことができ、見えが一致する点が一意に決まるため収束しやすくなる。
【００２１】
次にステップＳ４０３において、オペレータは、所定の観察光源下で、それらの第１、第２記録材に記録された第１、第２チャートに含まれる複数の色票のうち、最も近い色に見える一対の色票を選択する。ここでは、第１記録材上のものを第１色票１０１と称し、第２記録材上のものを、第２色票１０２と称す。図５、図６の例では、色票５１と色票６１が最も近いと判断できる。
【００２２】
次にステップＳ４０４において、オペレータは選択された色票の見えが一致しているか否かの判断を行い、見えが一致していない場合は、ステップＳ４０５において、ΔＣ，ΔＭ，ΔＹ，ΔＫ値を小さくし、選択された色票のデバイス値をＳ４０１とＳ４０２で作成する色票の中心値とする。
【００２３】
見えが完全に一致する色票が特定されるまで、ステップＳ４０１〜Ｓ４０５の処理を繰り返す。このように特定された色票が第１色票１０１と第２色票１０２となる。
【００２４】
以上をまとめると、まず蛍光増白剤を含有する記録材上と蛍光増白剤を含有しない記録材上に、それぞれ第１の変化量、第２の変化量で変化する複数の色票を形成する（第１形成、第２形成ステップ）。蛍光増白剤を含有する記録材上の複数の色票から選択された第３色票と、蛍光増白剤を含有しない記録材上の複数の色票から選択された第４色票の情報とを取得する（第１取得、第２取得ステップ）。
【００２５】
更に、取得した第３色票、第４色票を中心として、第１の変化量、第２の変化量よりも小さい変化量で変化する複数の色票を蛍光増白剤を含有する記録材上、及び蛍光増白剤を含有しない記録材上に形成する（第３形成、第４形成ステップ）。そして形成した複数の色票から見えが一致するものとして特定された第１色票、第２色票を取得する（第３取得、第４取得ステップ）。
【００２６】
図７は上で述べた見え一致色票取得部１１の処理の概念図である。縦方向が明度、横方向が彩度を表しており、７１が第２記録材の測色値のガマットであり、７２が第１記録材の測色値のガマットであり、７３が第１記録材の観察光源下における見えのガマットである。図４の一連の処理により、第２記録材の測色値のガマット７１のガマット表面と第１記録材の観察光源下における見えのガマット７３のグレーラインとの交点７４を探索する。この場合、色票それぞれに番号を付されていて、その番号を入力するといった特定方法でもよいし、ＵＩ上に図５と図６を表示しマウス等で選択してもよい。
【００２７】
図２は測色装置において行われる測色処理を示すフローチャートである。図２におけるステップＳ２０１では、見え一致色票取得部１１は、第１色票１０１と、第２色票１０２とを取得する。
【００２８】
次にステップＳ２０２では、第１色票１０１を測色部１２において測色し、第１測色値（Ｘ１，Ｙ１，Ｚ１）を取得して、格納部１３へ格納する。測色部１２では、分光測色方式の測色機で求めた分光反射率と環境光センサで求めた観察光源のスペクトルと等色関数とを用いて、実際の観察光源下における色票の測色値を求める。
【００２９】
次にステップＳ２０３では、第２色票１０２を測色部１２において測色し、第２測色値（Ｘ２，Ｙ２，Ｚ２）を取得して、格納部１３へ格納する。
【００３０】
次にステップＳ２０４では、図３に示すような第１記録材に記録した複数の色票を配列した色票チャート１００の１つの色票を測色部１２において測色して、補正前測色値（Ｘ０，Ｙ０，Ｚ０）を取得する。
【００３１】
次にステップＳ２０５では、測色値生成部１４において、格納部１３に格納された第１測色値（Ｘ１，Ｙ１，Ｚ１）、第２測色値（Ｘ２，Ｙ２，Ｚ２）との関係を用いて、補正前測色値（Ｘ０，Ｙ０，Ｚ０）を補正し、実効測色値（Ｘ，Ｙ，Ｚ）を生成する。つまり、測色値生成部１４では、第１測色値（Ｘ１，Ｙ１，Ｚ１）と第２測色値（Ｘ２，Ｙ２，Ｚ２）との関係を用いて、対象となる色票を測定部１２で測色した補正前測色値（Ｘ０，Ｙ０，Ｚ０）を入力として、実効測色値（Ｘ，Ｙ，Ｚ）を出力する。一例として以下のような式を用いる。
【００３２】
Ｘ＝（Ｘ２／Ｘ１）  ×  Ｘ０
Ｙ＝（Ｙ２／Ｙ１）  ×  Ｙ０
Ｚ＝（Ｚ２／Ｚ１）  ×  Ｚ０
色票チャート１００の全ての色票に対して、ステップＳ２０４とステップＳ２０５の処理を繰り返す。
【００３３】
以上説明したように、本実施形態では、実際の環境下において見えが一致する、第１色票と第２色票の２つの色票を取得し、それらの測色値を用いて、第１記録材に印刷された測定対象の色票の測色値補正を行い、実効測色値を生成する。これにより、蛍光増白剤を含有するメディアに印刷した印刷物の所定の観察光源下における色を測色する場合においても、一般的な分光測色方式の測色機を用いて、見えと一致した測色値を得ることが可能となる。
【００３４】
（他の実施形態）
以上、本発明の実施形態について詳述したが、本発明は、複数の機器から構成されるシステムに適用しても良いし、また、一つの機器からなる装置に適用しても良い。
【００３５】
なお、本発明は、上記実施形態の機能を実現するコンピュータ読取可能なプログラムを、システム或いは装置に直接或いは遠隔から供給し、そのシステム或いは装置が、供給されたプログラムコードを読み出して実行することによっても達成される。したがって、本発明の機能処理をコンピュータで実現するために、コンピュータにインストールされるプログラムコード自体も本発明の技術的範囲に含まれる。
【００３６】
その場合、プログラムの機能を有していれば、オブジェクトコード、インタプリタにより実行されるプログラム、ＯＳに供給するスクリプトデータ等、プログラムの形態を問わない。
【００３７】
プログラムを供給するための記録媒体としては、例えば、フロッピー（登録商標）ディスク、ハードディスク、光ディスク、光磁気ディスクがある。また、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００３８】
その他、クライアントＰＣのブラウザを用いてインターネットサイトに接続し、本発明に係るプログラムそのもの、若しくは更に自動インストール機能を含むファイルをハードディスク等の記録媒体にダウンロードするという利用方法もある。また、本発明に係るプログラムを構成するプログラムコードを複数のファイルに分割し、それぞれのファイルを異なるホームページからダウンロードすることによっても実現可能である。つまり、本発明の機能処理をコンピュータで実現するためのプログラムを複数のユーザに対してダウンロードさせるＷＷＷサーバも、本発明の範疇に含まれる。
【００３９】
また、本発明に係るプログラムを暗号化してＣＤ−ＲＯＭ等の記憶媒体に格納してユーザに配布してもよい。所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００４０】
また、プログラムの指示に基づき、コンピュータ上で稼動しているＯＳなどが、実際の処理の一部又は全部を行い、その処理によっても前述した実施形態の機能が実現され得る。
【００４１】
さらに、ＰＣの機能拡張ユニットに備わるメモリに本発明に係るプログラムが書き込まれ、そのプログラムに基づき、その機能拡張ユニットに備わるＣＰＵなどが実際の処理の一部又は全部を行う場合も、本発明の範疇に含まれる。
【図面の簡単な説明】
【００４２】
【図１】本発明の実施形態としての測色装置の構成図である。
【図２】本発明の実施形態としての測色装置における測色処理の概略を示すフローチャートである。
【図３】測定対象色票チャートの一例を示す図である。
【図４】見えが一致する色票を選択する処理を示すフローチャートである。
【図５】第１記録材に記録された色票チャートの一例を示す図である。
【図６】第２記録材に記録された色票チャートの一例を示す図である。
【図７】見え一致色票取得部の概念図である。
【符号の説明】
【００４３】
１１  見え一致色票取得部
１２  測色部
１３  格納部
１４  測色値生成部
１００  測定対象色票
１０１  第１色票
１０２  第２色票
【図１】
2010054382.tif 000003
【図２】
2010054382.tif 000004
【図３】
2010054382.tif 000005
【図４】
2010054382.tif 000006
【図５】
2010054382.tif 000007
【図６】
2010054382.tif 000008
【図７】
2010054382.tif 000009